(57)【要約】【課題】  製造工程における作業性を向上させると共にライトガイドユニットを基板上に確実に固定できる電気的表示装置を提供する。【解決手段】  電気的表示装置１は、画像等を表示する表示部１１と、これに光源からの光を照射するライトガイドユニットと、ライトガイドユニットを保持する基板８とを備える。ライトガイドユニットは、光源からの光を表示部１１に向けて照射する導光板６及びこれを支持するケース５を有する。導光板６とケース５を基板８に対して位置決めする手段として、導光板６に設けた突起２０に対応する基板８の箇所に切欠き２２が設けられる。【選択図】  図１
2012008275.tif 000002
【特許請求の範囲】
【請求項１】
画像等を表示する表示部と、これに光源からの光を照射するライトガイドユニットと、該ライトガイドユニットを保持する基板とを備えた電気的表示装置であって、
前記ライトガイドユニットは、前記光源からの光を前記表示部に向けて照射する導光板及びこれを支持するケースを有し、
前記導光板及びケースを前記基板に対して位置決めする手段を備えることを特徴とする電気的表示装置。
【請求項２】
前記位置決めする手段は、前記導光板に設けた突起と、これに対応する前記基板の箇所に設けた切欠きとで構成されることを特徴とする請求項１記載の電気的表示装置。
【請求項３】
前記ケースは前記導光板の入光部を覆うように形成されることを特徴とする請求項１又は２に記載の電気的表示装置。
【発明の詳細な説明】
【技術分野】
【０００１】
本発明は、液晶表示パネル等の表示部とこれに光源からの光を照射するライトガイドユニットとを備えた電気的表示装置に関する。
【背景技術】
【０００２】
電気的表示装置の一種の液晶表示装置は、液晶で構成された複数の画素からなる表示部を有する液晶表示パネルと、その表示部を駆動するために必要な複数の電子部品から成る駆動回路部と、液晶表示パネルとこれを用いる携帯端末等の電子機器とを接続するインタフェース基板と、光源としてのバックライトと、この光源から出射された光を表示部に照射するライトガイドユニットとを備えて構成されている。
【０００３】
インタフェース基板には、従来、ガラス基板等の硬質基板が用いられていたが、近年では、形状変更が容易で設計の自由度が高いＦＰＣ（Flexible  Printed  Circuits）等のフレキシブル基板が用いられている。
【０００４】
上記駆動回路部を構成する複数の電子部品は、駆動電圧を供給するドライバＩＣ、このドライバＩＣ等に電圧を供給する電源ＩＣ、これらドライバＩＣや電源ＩＣを制御するコントロールＩＣ等である。これらの電子部品のうち、ドライバＩＣは液晶パネル上に実装され、他の電子部品はフレキシブル基板上に実装される。
【０００５】
このような液晶表示装置の小型化を図ると共にその製造工程及び製造コストの削減を図ることができる技術として、液晶表示パネルの張出し部に表示部を駆動するためのドライバＩＣとその電源回路や制御回路を構成する電子部品とを実装したインタフェース基板を、ＡＣＦ（Anisotropic Conductive Film：異方性導電フィルム）により液晶表示パネルの接続部に接続する技術が提案されている（特許文献１）。
【０００６】
この技術によれば、インタフェース基板は、液晶表示パネルの張出し部に設けた接続部から裏面側に折り曲げられた折り曲げ部と、液晶表示パネルの裏面側に位置する折り曲げ部から延在してなる突出部とを含み、その突出部は液晶表示パネルの表面側に折り曲げられ、当該突出部に載置された電子部品が、液晶表示パネルの張出し部に実装されているドライバＩＣと対向するように配置される。
【先行技術文献】
【特許文献】
【０００７】
【特許文献１】特開２００５−１７４８３号公報
【発明の概要】
【発明が解決しようとする課題】
【０００８】
しかしながら、上記の公知技術によれば、光源部から照射された光を液晶表示パネルに出射する導光板を含むライトガイドユニットを、液晶表示パネルとは別個に組み立てた後、液晶表示パネルと組み合わせることによって表示装置が製造される。すなわち、ライトガイドユニットを液晶表示パネルとは別個に製造して組み合わせるため、一連の工程で製造する場合より作業性が劣る。
【０００９】
また、インタフェース基板の接続部から折り曲げるため、インタフェース基板の折れによる回路パターンが断線する恐れがある。更に、折り曲げ部から延びた突出部に載置された電子部品が、液晶表示パネルの張出し部に実装されているドライバＩＣと対向するように配置されるため、突出部と張出し部との間を、絶縁性を有する両面テープや接着材で固定する必要がある。
【００１０】
本発明は、これらの問題点に鑑みてなされたものであり、液晶表示装置のような電気的表示装置の製造工程における作業性を向上させると共に、絶縁テープや接着材のような固定手段を用いることなくライトガイドユニットを基板上に確実に固定できる電気的表示装置を提供することを目的とする。
【課題を解決するための手段】
【００１１】
本発明は、画像等を表示する表示部と、これに光源からの光を照射するライトガイドユニットと、該ライトガイドユニットを保持する基板とを備えた電気的表示装置であって、
前記ライトガイドユニットは、前記光源からの光を前記表示部に向けて照射する導光板及びこれを支持するケースを有し、該導光板及びケースを前記基板に対して位置決めする手段を備えることを特徴とする。
【００１２】
本発明によれば、ライトガイドユニットの導光板及びケースを基板に対して位置決めする手段を備えることにより、基板に対して導光板の位置を固定できる。また、導光板を支持するケースの位置決めも可能である。すなわち、位置決め手段は、導光板とケースの両方の位置決めに共用される。
【００１３】
また、基板に対して位置決めした導光板とケースを含むライトガイドユニット、表示部の順に組み立てることができるので、ライトガイドユニットを表示部と別個に製造して組み合わせるという工程が不要になる。このため、ライトガイドユニットを含めて電気的表示装置を一連の工程で製造することができ、作業性が向上する。
【００１４】
また、従来はケースに導光板が載置される構造であるから、簡単に分解できる。このため、導光板とケースを含む組立体を中間製品として保管等することが困難で、在庫とすることができなかったが、本発明によれば、ライドガイドユニットがケースと基板で保持されるので、これを中間製品として安定して保管することが可能となり、在庫とすることができる。
【００１５】
本発明において、位置決め手段は、導光板に設けた突起と、これに対応する基板の箇所に設けた切欠きとで構成することができる。
【００１６】
これによれば、基板上に導光板を設置する際、導光板の突起を基板の切欠きに入れることにより、基板に対して導光板を容易に位置決めして固定することができる。更に、ケースを取り付ける際に、導光板の突起が基板の切欠きに位置して導光板の取付位置を固定しているので、ケースの位置も基板に対して固定されることとなり、ケースの位置決めも容易にできる。
【００１７】
本発明において、ケースは導光板の入光部を覆うように形成されることが好ましい。これによれば、ＣＯＧ（Chip On Glass）型の液晶表示装置においては、入光部からガラス基板上のＩＣチップに向かう光が遮断される。このため、ＩＣチップに光が当たらず、光照射によって生じるＩＣの誤動作が抑制されるので、従来の遮光テープのような遮光手段が不要となる。
【図面の簡単な説明】
【００１８】
【図１】実施形態の液晶表示装置の構成を分解して示す図。
【発明を実施するための形態】
【００１９】
以下、本発明を液晶表示装置に適用した実施形態について説明する。
【００２０】
図１に示すように、本実施形態の液晶表示装置１は、正面側に配置される矩形のフレーム２と、液晶表示パネル（ＬＣＤ）３と、拡散板４、ケース５、導光板６及び反射板７で構成されるライトガイドユニットと、ライトガイドユニットを保持する基板としてのプリント配線基板（ＰＷＢ）８とを備えている。
【００２１】
液晶表示装置のバックライトとしては、導光板６の下方からライトガイドユニットに光を入射するＬＥＤ（発光ダイオード）からなる光源（図示省略）が用いられる。なお、光源はＬＥＤに限らず、電気的に発光するものでよい。
【００２２】
液晶表示パネル３は、画像等を表示するために複数個の画素で構成された表示部１１を有する。表示部１１は、表裏２枚の表示基板３ａ，３ｂの間に、図示しないシール材により液晶が封入されて形成されている。
【００２３】
正面側の第一表示板３ａは、背面側の第二表示板３ｂよりも図の上下方向に短く、第二表示板３ｂの下部が、液晶表示パネル３の張出し部３ｃを形成している。この張出し部３ｃには、ＦＰＣからなるフレキシブル基板１２が装着され、その上側に、表示部１１を駆動するための駆動回路部を構成するドライバＩＣ１３が、ＡＣＦ（異方性導電フィルム）１４を介して実装されている。この液晶表示装置は、ＣＯＧ（Chip On Glass）構造である。
【００２４】
なお、表示部は、ガラス基板等の硬質基板を備えるもののほか、例えばアクリル樹脂やエポキシ樹脂などを主体とする透明樹脂基板を備えるものでもよい。
【００２５】
電子部品は、例えば、電気的表示パネルの表示部を駆動する駆動回路部を構成する電子部品（表示部に駆動電圧を供給するドライバＩＣ、このドライバＩＣ等に電圧を供給する電源ＩＣ、このドライバＩＣや電源ＩＣを制御するコントロールＩＣ）等である。
【００２６】
上記の液晶表示パネル３と拡散板４との間は一定の間隙をとるため、その間に上下方向に延びた角柱状のスペーサ１５が左右に配置される。
【００２７】
液晶表示パネル３の表示部１１には、拡散板４、ケース５、導光板６及び反射板７で構成されるライトガイドユニットを介して、光源からの光が照射される。
【００２８】
ケース５は、プラスチックで矩形の枠状に形成され、その枠内に液晶表示パネル３、拡散板４、導光板６及び反射板７を収納できるように構成されている。
【００２９】
このケース５の下辺部５ａは、上記のように光源からの入光部となる導光板６の下部を覆うように張出して遮光部となっている。これにより、液晶表示パネル３の張出し部３ｃ上のＩＣチップに光が当たらず、光照射によって生じるＩＣの誤動作が抑制されるため、従来の遮光テープ等の遮光手段が不要となる。
【００３０】
また、ケース５の下辺部５ａには、後述のように液晶表示パネル３の正面側から金属フレーム２を被せたとき、フレーム２の下端突出部２ｂの左右端に当接してフレーム２を支持する一対の突起５ｂが設けられている。
【００３１】
導光板６は、長方形状の透明な合成樹脂等からなり、その背面の左右両端に近い位置に突設した係止用突起（ピン）２０を複数（図の例では４個）備えている。
【００３２】
反射板７は、導光板６の背面側に配置され、導光板６に導入された光源からの光のうち導光板６の背面から出射される光を正面側に反射させるものである。反射板７は、導光板６の背面に突設された係止用突起２０に対応する位置（図示の例では、左右両端縁の４箇所）に、各突起２０を通す切欠き２１を備えている。
【００３３】
また、プリント配線基板（ＰＷＢ）８においても、導光板６の係止用突起２０に対応する位置（図示の例では、左右両端縁の４箇所）に切欠き２２を備えている。
【００３４】
拡散板４は、導光板６の正面側に配置され、導光板６の正面から照射される光を拡散することで、正面側に均一な光を出射させるものである。
【００３５】
なお、拡散板４の正面に２枚のプリズムシートを積層して貼り付けることにより、拡散板４から出射される光の輝度を増大して、液晶表示パネル３の表示部１１に照射することができる。
【００３６】
上記の液晶表示パネル３、ライトガイドユニット及びプリント配線基板（ＰＷＢ）８は、正面側の矩形フレーム（枠）２によって固定される。このフレーム２は、軽量金属で形成され、その下辺部２ａは、液晶表示パネル３の張出し部３ｃを覆う幅を有する平板部となっている。更に、下辺部２ａの中間部は下方に張出し、前述のようにケース５の下辺部５ａに突設した一対の突起５ｂの間に入る突出部２ｂとして形成されている。
【００３７】
また、フレーム２の左右側面の上下端部は、背面側に鉤形に延びた係止部２ｃとして、４箇所に形成されている。これら４つの係止部２ｃは、後述のようにフレーム２を液晶表示パネル３の正面側から取り付けるときに、矩形のＰＷＢ８の上下左右４つの角部を挟むように係合する。これにより、フレーム２とＰＷＢ８との間に収納した液晶表示パネル３とライトガイドユニットを固定することができる。
【００３８】
本実施形態の液晶表示装置１は、上記の構成を備えるので、製造に際して、次のように組み立てられる。
【００３９】
まず、プリント配線基板（ＰＷＢ）８上に反射板７を挟んで導光板６を設置する。その際、導光板６の係止用突起２０を反射板７の切欠き２１に通してＰＷＢ８の切欠き２２に入れることにより、ＰＷＢ８に対し反射板７と導光板６を容易に位置決めして固定することができる。
【００４０】
ここで、反射板７と導光板６を収納するようにケース５を取り付ける。その際、導光板６の係止用突起２０が、反射板７の切欠き２１及びＰＷＢ８の切欠き２２に位置して、ＰＷＢ８に対する反射板７と導光板６の取付位置を固定しているので、ケース５の位置もＰＷＢ８に対して固定されることとなり、ケース５の位置決めも容易にできる。すなわち、導光板６の係止用突起２０は、ケース５の位置決めにも用いられる。
【００４１】
次に、ケース５の正面側から拡散板４を装填して、その正面左右にスペーサ１５を配置し、その正面側から、ドライバＩＣ１３及びフレキシブル基板１２が装着された液晶表示パネル３を設置する。
【００４２】
そして、液晶表示パネル３を覆うように金属フレーム２を被せて、フレーム２の下端突出部２ｂの左右端にケース５の一対の突起５ｂを係合させる。一方、フレーム２の背面側に設けた４つの係止部２ｃを、プリント配線基板（ＰＷＢ）８の上下左右４つの角部に係合することにより、フレーム２とプリント配線基板（ＰＷＢ）８との間に収納した液晶表示パネル３とライトガイドユニットが固定される。
【００４３】
以上により、本実施形態の液晶表示装置１の組立てが終わる。
【００４４】
以上、本発明の実施形態としてＣＯＧ構造の液晶表示装置について説明したが、本発明はこれに限定されるものではなく、ＣＯＦ（Chip On ＦＰＣ）構造の電気的表示装置に用いてもよい。
【符号の説明】
【００４５】
１…電気的表示装置、３…液晶表示パネル、４…拡散板、５…ケース、６…導光板、７…反射板、８…プリント配線基板、１１…表示部、２０…突起、２１，２２…切欠き。
【図１】
2012008275.tif 000003